(57)【特許請求の範囲】
【請求項１】
ドキュメントを作成するシステムであって、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて格納したデザイン情報格納手段と、
ドキュメントのコンテンツ情報をユーザ属性に関連付けて格納したコンテンツ情報格納手段と、
ユーザ属性を入力するためのユーザ属性入力手段と、
前記ユーザ属性入力手段で入力されたユーザ属性に対応した前記デザイン情報を前記デザイン情報格納手段から読み出すデザイン情報読出手段と、
前記ユーザ属性入力手段で入力されたユーザ属性に対応した前記コンテンツ情報を前記コンテンツ情報格納手段から読み出すコンテンツ情報読出手段と、
前記コンテンツ情報読出手段で読み出された前記コンテンツ情報を前記デザイン情報読出手段で読み出された前記デザイン情報に基づいて編集してドキュメントを作成する編集手段と、
を備えることを特徴とするドキュメント作成システム。
【請求項２】
前記生体評価は、視線軌跡による評価であることを特徴とする請求項１記載のドキュメント作成システム。
【請求項３】
前記生体評価は、前記視線軌跡による評価に加えて脳波による評価を用いたものであることを特徴とする請求項２記載のドキュメント作成システム。
【請求項４】
前記視線軌跡は、Ｗｅｂページを表示するディスプレイ上の視線軌跡であり、
前記デザイン情報は、前記Ｗｅｂページの前記ディスプレイに表示されている箇所を示す情報と前記ディスプレイ上の視線軌跡とに基づく評価によって得られたものであることを特徴とする請求項２又は請求項３記載のドキュメント作成システム。
【請求項５】
前記デザイン情報は、コンテンツのレイアウト、コンテンツの配色、又は、コンテンツのフォントに関する情報を含むことを特徴とする請求項１〜請求項４のうち何れか一項記載のドキュメント作成システム。
【請求項６】
ドキュメントを作成するシステムであって、
ドキュメントのコンテンツ情報を入力するためのコンテンツ情報入力手段と、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて格納したデザイン情報格納手段と、
ユーザ属性を入力するためのユーザ属性入力手段と、
前記ユーザ属性入力手段で入力されたユーザ属性に対応した前記デザイン情報を前記デザイン情報格納手段から読み出すデザイン情報読出手段と、
前記コンテンツ情報入力手段で入力された前記コンテンツ情報を前記デザイン情報読出手段で読み出された前記デザイン情報に基づいて編集してドキュメントを作成する編集手段と、
を備えることを特徴とするドキュメント作成システム。
【請求項７】
ドキュメントを作成する方法であって、
ユーザ属性を入力するステップと、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて格納したデザイン情報格納手段から、前記入力されたユーザ属性に対応した前記デザイン情報をデザイン情報読出手段によって読み出すステップと、
ドキュメントのコンテンツ情報をユーザ属性に関連付けて格納したコンテンツ情報格納手段から、前記入力されたユーザ属性に対応した前記コンテンツ情報をコンテンツ情報読出手段によって読み出すステップと、
前記コンテンツ情報読出手段で読み出された前記コンテンツ情報を前記デザイン情報読出手段で読み出された前記デザイン情報に基づいて編集してドキュメントを作成するステップと、
を備えることを特徴とするドキュメント作成方法。
【請求項８】
ドキュメントを作成する方法であって、
ユーザ属性を入力するステップと、
ドキュメントのコンテンツ情報を入力するステップと、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて格納したデザイン情報格納手段から、前記入力されたユーザ属性に対応した前記デザイン情報をデザイン情報読出手段によって読み出すステップと、
前記入力されたコンテンツ情報を前記デザイン情報読出手段によって読み出された前記デザイン情報に基づいて編集してドキュメントを作成するステップと、
を含むことを特徴とするドキュメント作成方法。
【請求項９】
ユーザ属性を入力する処理と、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて蓄積したデザイン情報ファイルを記憶部に格納する処理と、
ドキュメントのコンテンツ情報をユーザ属性に関連付けて蓄積したコンテンツ情報ファイルを記憶部に格納する処理と、
前記記憶部に格納した前記デザイン情報ファイルから、前記入力されたユーザ属性に対応した前記デザイン情報を読み出す処理と、
前記記憶部に格納した前記コンテンツ情報ファイルから、前記入力されたユーザ属性に対応した前記コンテンツ情報を読み出す処理と、
前記読み出されたコンテンツ情報を前記読み出された前記デザイン情報に基づいて編集してドキュメントを作成する処理と、
をコンピュータに実行させるためのプログラムを記録したコンピュータ読取り可能な記録媒体。
【請求項１０】
ユーザ属性を入力する処理と、
ドキュメントのコンテンツ情報を入力する処理と、
レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、前記第１Ｗｅｂページ群と前記第２Ｗｅｂページ群とは少なくとも一部が異なる）とをユーザに提示して行われた生体評価に基づいて前記ユーザが好むと判断されたデザイン情報をユーザ属性に関連付けて蓄積したデザイン情報ファイルを記憶部に格納する処理と、
前記記憶部に格納した前記デザイン情報ファイルから、前記入力されたユーザ属性に対応した前記デザイン情報を読み出す処理と、
前記入力されたコンテンツ情報を前記読み出された前記デザイン情報に基づいて編集してドキュメントを作成する処理と、
をコンピュータに実行させるためのプログラムを記録したコンピュータ読取り可能な記録媒体。
【発明の詳細な説明】
【０００１】
【発明の属する技術分野】
本発明は、Ｗｅｂページや紙媒体のドキュメントを作成するためのドキュメント作成システム、ドキュメント作成方法、及び、ドキュメントを作成するためのプログラムが記録されたコンピュータ読取り可能な記録媒体に関するものである。
【０００２】
【従来の技術】
近年の情報量の増加に伴い、品質の良いドキュメントを容易に作成することが重要となっている。企業においては製品カタログ、社内報、広告等の紙媒体やＷｅｂページ等のドキュメントが作成され、個人においてもホームページの作成が人気を集めている。また、このようなドキュメントは、アプリケーションソフトの充実に伴い、デザイン会社に依頼することなく自分自身で作成するケースが増えている。
【０００３】
ところが、一般ユーザは、漠然としたデザイン感覚はあったとしても、プロのデザイナーのようなデザインに関する知識やノウハウはもっていないため、デザインソフトを使用しても、ドキュメントの目的、用途、特性や世間の流行等を的確に反映したデザインコンセプトを設定し難く、必ずしも高品質のドキュメントを作成できるとは限らなかった。
【０００４】
このため、近年、デザイン制作に関する知識のない一般ユーザが容易にドキュメントを作成できるようにしたソフトウェアツールが脚光を浴びている。このようなツールの例として、特開平１１−２３２４７４号公報のデザイン制作支援装置が知られている。この装置によってデザイン制作を行う場合、まず、ドキュメント作成者は、書籍、新聞、パンフレット、コンピュータ系、ミュージック系、ビジネス系等に分類して記憶されたデザインスタイルから所望のスタイルを選択する。そして、選択されたデザインスタイルに応じて、タイトル、文章、写真、図柄等の各コンテンツが模式化されたデザインバリエーションが設定される。さらに、ドキュメント作成者は、タイトルのフォント・大きさや写真の縁の有無・全体の色調等の要素情報をデザインバリエーションに付加した上で、使用する文章や図等のコンテンツ情報を入力し、これにより、コンテンツ情報がデザインバリエーションに従って表現されたドキュメントを制作することができる。
【０００５】
【発明が解決しようとする課題】
しかしながら、上記のようなデザイン制作支援装置には、次のような問題があった。すなわち、この装置にはデザイナーの知識が記憶されており、この記憶情報に基づいてデザインが制作されるが、完成したドキュメントはデザイナーの主観によって定められたルールに則って作成されるにすぎないため、ドキュメント作成者の意志がドキュメントを見る者に的確に伝えられるとは限らない。すなわち、デザイナーの知識を集積させたデータによって得られたドキュメントが、必ずしも一般ユーザに受けるとは限らないのである。
【０００６】
本発明は、上記問題を解決するためになされたものであり、ユーザに受け入れられ易いドキュメントの作成が可能なドキュメント作成システム、ドキュメント作成方法、及び、コンピュータ読取り可能な記録媒体を提供することを目的とする。
【０００７】
【課題を解決するための手段】
上記目的を達成するために、本発明のドキュメント作成システムは、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて格納したデザイン情報格納手段と、ドキュメントのコンテンツ情報をユーザ属性に関連付けて格納したコンテンツ情報格納手段と、ユーザ属性を入力するためのユーザ属性入力手段と、ユーザ属性入力手段で入力されたユーザ属性に対応したデザイン情報をデザイン情報格納手段から読み出すデザイン情報読出手段と、ユーザ属性入力手段で入力されたユーザ属性に対応したコンテンツ情報をコンテンツ情報格納手段から読み出すコンテンツ情報読出手段と、コンテンツ情報読出手段で読み出されたコンテンツ情報をデザイン情報読出手段で読み出されたデザイン情報に基づいて編集してドキュメントを作成する編集手段と、を備えることを特徴とする。
【０００８】
本発明に係るドキュメント作成システムによれば、デザイン情報格納手段に、生体評価に基づいて得られたデザイン情報がユーザ属性に関連付けられて格納されている。また、コンテンツ情報格納手段に、ドキュメントのコンテンツ情報がユーザ属性に関連付けられて格納されている。そして、ユーザ属性入力手段によってユーザ属性を入力することで、このユーザ属性に対応したデザイン情報がデザイン情報格納手段から読み出されると共に、ユーザ属性に対応したコンテンツ情報がコンテンツ情報格納手段から読み出される。さらに、この読み出されたデザイン情報に基づいて、読み出されたコンテンツ情報が編集されて、Ｗｅｂページや紙媒体のドキュメントを得ることができる。ここで、デザイン情報格納手段に格納されたデザイン情報は生体評価に基づいて得られたものであるため、本発明のシステムによって作成されたドキュメントは、単にデザイナーの主観によって構築されたデータベースに基づいて作成されたドキュメントよりも、ユーザに受け入れられ易いものとなっている。
【０００９】
また、本発明に係るドキュメント作成システムにおいて、生体評価は、視線軌跡による評価であることが好ましい。例えば、あるドキュメントをあるユーザに見せた場合に、視線軌跡に基づいてそのユーザが各コンテンツを的確に捉えていると判断された場合は、そのドキュメントは読みやすいデザインとなっていることが分かる。このような場合、そのドキュメントのデザイン情報をデザイン情報格納手段にそのユーザの属性と関連付けて格納することになる。一方、視線軌跡を分析した結果、各コンテンツ間で不必要な視線移動が目立つような場合は、そのドキュメントは読みにくいデザインとなっていることが分かる。このような場合、そのドキュメントのデザイン情報はデザイン情報格納手段に格納されないことになる。また、あるユーザにドキュメントを見せて視線軌跡を分析することで、そのユーザがそのドキュメントの何処が好きなのかを判断することができる。そして、その好きな場所におけるコンテンツの配色、フォント等のデザインを分析し、分析結果をデザイン情報格納手段に格納させることができる。これにより、よりユーザ受けし易いドキュメントを作成することができる。
【００１０】
また、生体評価は、視線軌跡による評価に加えて脳波による評価を用いたものであることが好ましい。
【００１１】
上記のようにドキュメント上でユーザが好きな箇所は、視線軌跡によって判断することができる。すなわち、ユーザの注視時間が長い箇所は、ユーザが好きな場所である可能性がある。ところが、見にくい箇所についても注視時間が長くなることがある。このような場合と識別するために、ユーザの脳波による評価を用いることが好ましい。脳波にストレスの成分でなく楽しみの成分が含まれている場合は、ユーザは、その注視箇所が好きなため注視時間が長くなっていることになる。
【００１２】
また、本発明において、視線軌跡は、Ｗｅｂページを表示するディスプレイ上の視線軌跡であり、デザイン情報は、Ｗｅｂページのディスプレイに表示されている箇所を示す情報とディスプレイ上の視線軌跡とに基づく評価によって得られたものであることを特徴としてもよい。
【００１３】
Ｗｅｂページが大きい場合、ディスプレイに一度に全てが表示されない場合がある。このような場合、Ｗｅｂページのどの部分がディスプレイに表示されているかを示す情報を用いることで、視線がＷｅｂページのどこを辿っているかを正確に把握することができる。
【００１４】
また、本発明に係るドキュメント作成システムにおいて、デザイン情報は、コンテンツのレイアウト、コンテンツの配色、又は、コンテンツのフォントに関する情報を含むことが好ましい。このような構成を採用した場合、ドキュメントのコンテンツをユーザ属性に対応したレイアウト、配色、フォント等で表現することができ、ユーザに受け入れられ易くなる。
【００１５】
本発明に係る他のドキュメント作成システムは、ドキュメントを作成するシステムであって、ドキュメントのコンテンツ情報を入力するためのコンテンツ情報入力手段と、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて格納したデザイン情報格納手段と、ユーザ属性を入力するためのユーザ属性入力手段と、ユーザ属性入力手段で入力されたユーザ属性に対応したデザイン情報をデザイン情報格納手段から読み出すデザイン情報読出手段と、コンテンツ情報入力手段で入力されたコンテンツ情報をデザイン情報読出手段で読み出されたデザイン情報に基づいて編集してドキュメントを作成する編集手段と、を備えることを特徴とする。
【００１６】
本発明に係るドキュメント作成システムによれば、デザイン情報格納手段に、生体評価に基づいて得られたデザイン情報がユーザ属性に関連付けられて格納されている。そして、ユーザ属性入力手段によってユーザ属性を入力することで、このユーザ属性に対応したデザイン情報がデザイン情報格納手段から読み出される。さらに、コンテンツ情報入力手段によってコンテンツ情報を入力すると、この読み出されたデザイン情報に基づいてコンテンツ情報が編集されて、Ｗｅｂページや紙媒体のドキュメントを得ることができる。ここで、デザイン情報格納手段に格納されたデザイン情報は生体評価に基づいて得られたものであるため、本発明のシステムによって作成されたドキュメントは、単にデザイナーの主観によって構築されたデータベースに基づいて作成されたドキュメントよりも、ユーザに受け入れられ易いものとなっている。
【００１７】
また、本発明に係るドキュメント作成方法は、ユーザ属性を入力するステップと、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて格納したデザイン情報格納手段から、入力されたユーザ属性に対応したデザイン情報をデザイン情報読出手段によって読み出すステップと、ドキュメントのコンテンツ情報をユーザ属性に関連付けて格納したコンテンツ情報格納手段から、入力されたユーザ属性に対応したコンテンツ情報をコンテンツ情報読出手段によって読み出すステップと、コンテンツ情報読出手段で読み出されたコンテンツ情報をデザイン情報読出手段で読み出されたデザイン情報に基づいて編集してドキュメントを作成するステップと、を備えることを特徴とする。
【００１８】
また、本発明に係る他のドキュメント作成方法は、ユーザ属性を入力するステップと、ドキュメントのコンテンツ情報を入力するステップと、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて格納したデザイン情報格納手段から、入力されたユーザ属性に対応したデザイン情報をデザイン情報読出手段によって読み出すステップと、入力されたコンテンツ情報をデザイン情報読出手段によって読み出されたデザイン情報に基づいて編集してドキュメントを作成するステップと、を含むことを特徴とする。
【００１９】
これらの発明に係るドキュメント作成方法によれば、生体評価に基づいて得られたデザイン情報を用いてコンテンツ情報を編集しているため、作成されたドキュメントは、単にデザイナーの主観によって構築されたデータベースに基づいて作成されたドキュメントよりも、ユーザに受け入れられ易いものとなっている。
【００２０】
また、本発明のコンピュータ読取り可能な記録媒体は、ユーザ属性を入力する処理と、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて蓄積したデザイン情報ファイルを記憶部に格納する処理と、ドキュメントのコンテンツ情報をユーザ属性に関連付けて蓄積したコンテンツ情報ファイルを記憶部に格納する処理と、記憶部に格納したデザイン情報ファイルから、入力されたユーザ属性に対応したデザイン情報を読み出す処理と、記憶部に格納したコンテンツ情報ファイルから、入力されたユーザ属性に対応したコンテンツ情報を読み出す処理と、読み出されたコンテンツ情報を読み出されたデザイン情報に基づいて編集してドキュメントを作成する処理と、をコンピュータに実行させるためのプログラムを記録したことを特徴とする。
【００２１】
また、本発明に係る他のコンピュータ読取り可能な記録媒体は、ユーザ属性を入力する処理と、ドキュメントのコンテンツ情報を入力する処理と、レイアウトまたは配色のデザインが互いに異なる複数のＷｅｂページを含む第１Ｗｅｂページ群とフォントのデザインが互いに異なる複数のＷｅｂページを含む第２Ｗｅｂページ群（ただし、第１Ｗｅｂページ群と第２Ｗｅｂページ群とは少なくとも一部が異なる）とをユーザに提示して行われた生体評価に基づいてユーザが好むと判断されたデザイン情報をユーザ属性に関連付けて蓄積したデザイン情報ファイルを記憶部に格納する処理と、記憶部に格納したデザイン情報ファイルから、入力されたユーザ属性に対応したデザイン情報を読み出す処理と、入力されたコンテンツ情報を読み出されたデザイン情報に基づいて編集してドキュメントを作成する処理と、をコンピュータに実行させるためのプログラムを記録したことを特徴とする。
【００２２】
これらの発明に係るコンピュータ読取り可能な記録媒体によれば、コンピュータは、生体評価に基づいて得られたデザイン情報を用いてコンテンツ情報を編集することになるため、作成されたドキュメントは、単にデザイナーの主観によって構築されたデータベースに基づいて作成されたドキュメントよりも、ユーザに受け入れられ易いものとなっている。
【００２３】
【発明の実施の形態】
以下、添付図面を参照して、本発明に係るドキュメント作成システム、ドキュメント作成方法、及びコンピュータ読取り可能な記録媒体の好適な実施形態について詳細に説明する。尚、同一要素には同一符号を用いるものとし、重複する説明は省略する。
【００２４】
［第１実施形態］
図１は、本実施形態のドキュメント作成システム１を示す構成図である。ドキュメント作成システム１は、依頼者の要請によってＷｅｂページを作成するシステムであり、Ｗｅｂページを見せるユーザのユーザ属性を入力するユーザ属性入力部１０と、依頼者のＩＤを入力する依頼者ＩＤ入力部２０と、Ｗｅｂページに表示される文章や図形等のコンテンツの情報を格納したコンテンツ情報データベース（コンテンツ格納手段；以下、データベースを「ＤＢ」と略す）３０と、コンテンツを表現するデザインの情報を格納したデザイン情報格納部（デザイン情報格納手段）４０と、上記コンテンツをデザイン情報に基づいて編集してＷｅｂページを作成する編集部５０と、編集部５０で作成されたＷｅｂページのＵＲＬアドレスを出力する出力部６０と、を備えている。
【００２５】
また、ドキュメント作成システム１は、インターネット等のネットワーク１００を通じて各ユーザの端末装置９０に接続されており、出力部６０は、作成したＷｅｂページをネットワーク１００を介して電子情報として各ユーザに送信する。さらに、ドキュメント作成システム１には、Ｗｅｂページを見せる対象となり得るユーザの情報が格納されたユーザ情報ＤＢ７０と、ユーザ情報ＤＢ７０から実際にＷｅｂページのＵＲＬアドレスを送信するユーザを抽出する送信先抽出部８０と、が設けられている。
【００２６】
次に、ドキュメント作成システム１の各構成要素を詳説する。図２は、コンテンツ情報ＤＢ３０に格納されたデータファイルを示す図である。このデータファイルには、Ｗｅｂページのコンテンツ情報がユーザ属性に関連付けて蓄積されている。また、コンテンツ情報は、各依頼者毎に設けられている。同図に示すコンテンツ情報はＡ銀行のものであり、依頼者ＩＤは「Ａ００１」とされている。
【００２７】
ユーザ属性には、年齢、性別、及び、金融商品の購入経験の３つがある。年齢は、２０歳未満、２０歳以上４０歳未満、４０歳以上６０歳未満、６０歳以上と４つの区分に分類されており、ユーザ属性のパターンはＡ〜Ｐの合計１６個設けられている。また、Ａ〜Ｐの各パターンに対応して、コンテンツ情報が定められている。
【００２８】
コンテンツ情報は、Ｗｅｂページ作成依頼者の商品やサービス等を説明する文章や図面に関する情報であり、商品選択の種類１、商品選択の種類２、及び商品説明の内容が定められている。商品選択の種類１では、▲１▼ハイリスク商品又は▲２▼ローリスク商品の選択肢があり、商品選択の種類２では、▲１▼単純構成商品又は▲２▼組合せ商品の選択肢があり、商品説明の内容では、▲１▼ダイレクトベネフィット型、▲２▼データ比較型、▲３▼商品イメージ型、▲４▼商品解説型の４つの選択肢がある。
【００２９】
上記のようにこの場合の依頼者は銀行であり、商品選択の種類１のハイリスク商品とは、例えば株式ファンド、外貨ＭＭＦ、海外債券等であり、ローリスク商品とは、定期預金、国債、ＭＭＦ等である。そして、金融商品購入経験があるユーザの場合は、ハイリスク商品となり、一方、金融商品購入経験の無いユーザの場合は、ローリスク商品となる。また、商品選択の種類２の単純構成商品とは、例えば種類１がローリスク商品のＭＭＦとなっている場合に、そのＭＭＦに関する情報のみをＷｅｂページに表示することを意味し、組合せ商品とは、ＭＭＦに併せて他の情報をもＷｅｂページに表示することを意味する。
【００３０】
商品説明のダイレクトベネフィット型とは、その商品のメリットを簡潔且つ明確に表示する説明パターンである。例えば、ＭＭＦの年換算利回りをＷｅｂページ上で大きく表示させる場合が該当する。商品説明のデータ比較型とは、例えば、過去数年のＭＭＦの利回りの推移をグラフで表示するような場合が該当する。商品説明の商品イメージ型とは、例えば、ＭＭＦの内容を主に図によって説明するような場合が該当する。商品説明の商品解説型とは、例えば、ＭＭＦの内容を文章で詳しく説明する場合が該当する。そして、例えば若年層であればダイレクトベネフィット型の商品説明となり、高年層であれば商品イメージ型の商品説明となる。
【００３１】
このようなコンテンツ情報は上記のように依頼者ＩＤ及びユーザ属性に対応して定められており、依頼者ＩＤ入力部２０で入力された依頼者ＩＤとユーザ属性入力部１０で入力されたユーザ属性とに対応したコンテンツ情報がＷｅｂページの作成に用いられることになる。さらに、依頼者としては銀行の他にも、メーカー、商社、広告代理店、ファッション業界等の種々のものが考えられ、例えば依頼者がファッション業界のものであれば、通常、そのコンテンツ情報はファッションに関するものとなっている。
【００３２】
次に、図３を参照して、デザイン情報ＤＢ４０に格納されたデータファイルについて説明する。デザイン情報ＤＢ４０に格納されたデザイン情報は、ユーザの視線軌跡による評価を用いて得られたものであり、コンテンツの配色、コンテンツのフォント、及び、コンテンツのレイアウトに関する情報が含まれている。
【００３３】
ここで、デザイン情報ＤＢ４０に格納するデザイン情報を作製するまでの過程を説明する。まず、図４に示すように、デザインがなされたＷｅｂページをユーザに３０秒間見せて、視線軌跡を取得する。図４（ａ）及び図４（ｂ）のＷｅｂページは、異なるデザインがなされている。また、視線軌跡は赤外線を利用した公知の技術によって調べることができ、Ｗｅｂページ上にユーザの視線軌跡を実線で示す。そして、図４（ａ）に示すように、各コンテンツ間で不必要な視線移動が目立ち、ユーザがＷｅｂページの内容を理解し難いことが判明した場合は、このＷｅｂページのデザインに関する情報はデザイン情報ＤＢ４０に格納しないことになる。一方、図４（ｂ）に示すように、ユーザが各コンテンツを的確に捉え、そのユーザにとってＷｅｂページが読み易いことが判明した場合は、このＷｅｂページのデザインに関する情報をそのユーザの属性と関連付けてデザイン情報ＤＢ４０に格納することになる。すなわち、この段階で、視線軌跡を利用することで、デザイン情報ＤＢ４０に格納するに値するデザイン情報のみを抽出する。
【００３４】
また、ユーザに見せたＷｅｂページが大きい場合、ディスプレイに一度に全てが表示されないことがある。このような場合は、Ｗｅｂページのディスプレイに表示されている箇所を示す情報を用いることがよい。例えば、Ｗｅｂページ上のカーソル位置を示す情報を取得すれば、Ｗｅｂページのどの部分がディスプレイに表示されているかが分かる。そして、この情報とディスプレイ上の視線軌跡によってユーザの視線がＷｅｂページのどこを辿っているかが正確に分かり、適切なデザイン情報を得ることができる。
【００３５】
尚、カーソル位置の他、マウスのホイールやディスプレイのスクロールバー等のＷｅｂページをディスプレイ上でスクロールさせる手段からディスプレイにＷｅｂのどこが表示されているかの情報を取得してもよい。
【００３６】
また、カーソル移動速度やスクロール速度等を考慮してデザイン情報を得てもよい。例えば、Ａ点から比較的速い速度（基準速度よりも速い速度）でＢ点までカーソル移動又はスクロールが行われた場合は、ユーザがＢ点に興味があることが分かる。
【００３７】
また、デザイン情報ＤＢ４０にデザイン情報を格納するＷｅｂページを抽出するにあたっては、アンケート等によるユーザの主観評価を併せて利用してもよい。アンケートの例としては、そのＷｅｂページが好き、嫌い、どちらでもない等の選択肢が設けられているものがある。
【００３８】
次に、視線軌跡による振り分けで残ったＷｅｂページのデザインを分析し、この情報をデザイン情報ＤＢ４０に格納するまでの過程を説明する。
【００３９】
まず、Ｗｅｂページのデザイン情報のうちコンテンツの配色を決定する過程を説明する。ここでは、図５（ａ）〜図５（ｃ）のＷｅｂページが視線軌跡による振り分けで残ったこととする。図５（ａ）のＷｅｂページＤａは、２０歳〜４０歳代の女性２０名の視線軌跡による生体評価及びアンケートによる主観評価の結果、この世代の女性が好むデザインであると判断されたものであり、図５（ｂ）のＷｅｂページＤｂは、２０歳〜３０歳代の男性が好むデザインであると判断されたものであり、図５（ｃ）のＷｅｂページＤｃは、４０歳〜５０歳代の男性が好むデザインであると判断されたものである。
【００４０】
また、図６は、Ｗｅｂページの印象を文字で表現したイメージマップである。このイメージマップは、「WARM」「COOL」を横軸とし、「SOFT」「HARD」を縦軸としている。イメージマップは複数の領域に分けられ、各領域には、ナチュラル、クリア、モダン、ダンディ、ゴージャス等のイメージ名が記載されている。このイメージ名には、そのイメージを表す配色パターンが定められている。例えば、クリアは白や青を主とした配色パターンで、ダンディは黒や深緑を主とした配色パターンとされている。
【００４１】
そして、上記の図５（ａ）〜図５（ｃ）に示したＷｅｂページＤａ〜Ｄｃに使用されている色を抽出し、各Ｗｅｂページがどのようなイメージ名で表されるかを判断する。例えば、ＷｅｂページＤｃは、主に白、青、緑を使用した配色パターンとされており、この配色パターンがクール・シック・モダンの配色を組み合わせることで表現できる。各ＷｅｂページＤａ〜Ｄｃを表現するイメージ名を判断した後、図６のイメージマップ上で、各ＷｅｂページＤａ〜Ｄｃに対応するイメージ名が何処に位置しているかを見る。図６中の各領域Ａ〜Ｃは、それぞれＷｅｂページＤａ〜Ｄｃに使用されている色が主に用いられたイメージ名を円で囲んだものである。この領域Ａ〜Ｃの位置によって、ＷｅｂページＤａ〜Ｄｃのイメージが分かる。ＷｅｂページＤａのイメージはWARMで、ＷｅｂページＤｂのイメージはHARDで、ＷｅｂページＤｃのイメージはCOOLである。
【００４２】
そして、図３に示すように、デザイン情報ＤＢ４０に、属性が２０歳〜４０歳代の女性であるユーザの配色をウォームとし、属性が２０歳〜３０歳代の男性であるユーザの配色をハードとし、属性が４０歳〜５０歳代の男性であるユーザの配色をクールとして記憶させる。
【００４３】
尚、Ｗｅｂページに使用されている色を抽出するにあたって、ユーザの好きな箇所の色を抽出し、この色に基づいてＷｅｂページのイメージを判断するようにしてもよい。この場合、その属性のユーザが好むドキュメントのイメージをより確実に捉えることができる。Ｗｅｂページ上でユーザが好きな箇所は、視線軌跡によって判断することができる。すなわち、ユーザの注視時間が長い箇所は、ユーザが好きな場所であることが分かる。また、見にくい箇所についても注視時間が長くなることがあるが、このような場合と識別するために、ユーザの脳波を分析することが好ましい。すなわち、脳波にストレスの成分でなく楽しみの成分が含まれている場合は、ユーザは、その注視箇所が好きなため注視時間が長くなっていることになる。
【００４４】
次に、Ｗｅｂページのデザイン情報のうちコンテンツのフォントを決定する過程を説明する。まず、コンテンツのフォントが小さなＷｅｂページ、コンテンツのフォントが標準サイズのＷｅｂページ、及び、コンテンツのフォントが大きなＷｅｂページを各属性のユーザに見せる。そして、このときの視線軌跡を分析し、視線がコンテンツをスムースに追っている場合のフォントサイズを、そのユーザのデザイン情報としてデザイン情報ＤＢ４０に格納する。図３に示すように、属性が２０代未満のユーザのフォントは小型サイズとされ、２０歳〜５０歳代のユーザのフォントは標準サイズとされ、６０歳代以上のユーザのフォントは大型サイズとされている。尚、本実施形態では、フォントのサイズに関する情報をデザイン情報ＤＢ４０に格納しているが、この他、フォントの字体、飾り、色、下線のスタイル等の情報を格納してもよい。
【００４５】
次に、Ｗｅｂページのデザイン情報のうちコンテンツのレイアウトを決定する過程を説明する。各ユーザ属性のレイアウトを決定するにあたっては、上記の各ＷｅｂページＤａ〜Ｄｃのレイアウトの特性を抽出し、その抽出した情報をデザイン情報ＤＢ４０に格納する。レイアウトの特性としては、版面率の高低、ジャンプ率の高低、図版率、段組数等がある。例えば、ＷｅｂページＤｂは、版面率が低く、ジャンプ率が低く、段組が１段で、図版率が低いレイアウトとなっている。そして、ＷｅｂページＤａ〜ＤｃのレイアウトパターンをそれぞれパターンＡ〜Ｃとし、それぞれユーザ属性に関連付けてデザイン情報ＤＢ４０に格納する。さらに、Ｗｅｂページで伝えたい内容と直接関係の無いサブコンテンツが含まれている場合に、このサブコンテンツの形状、レイアウト等を抽出し、デザイン情報ＤＢ４０に格納させてもよい。
【００４６】
また、図示は省略するが、各ＷｅｂページＤａ〜Ｄｃからコンテンツのパーツ形状を抽出し、これをレイアウトの情報に含めてデザイン情報ＤＢ４０に格納させてもよい。例えば、ＷｅｂページＤａのパーツ形状には、円形、球形、曲線等があり、ＷｅｂページＤｃのパーツ形状には、星形、鋭角、直線等がある。
【００４７】
続いて、図７を参照して、ユーザ情報ＤＢ７０に格納されたデータファイルについて説明する。ユーザ情報ＤＢ７０に格納されたユーザ情報には、各ユーザのＣＲＭ−ａ〜ｎの属性、氏名、及び、電子メールアドレスが含まれている。ＣＲＭ−ａ〜ｎの属性の選択項目は、図８に示す通りである。例えば、ユーザＩＤ「Ｕ−００１」の鈴木太郎の年齢、勤務先住所、及び、金融商品購入経験は、それぞれＣＲＭ−ａ，ｈ，ｍより、２０歳未満、神奈川、及び、経験無しということが分かる。
【００４８】
以上が、本実施形態のドキュメント作成システム１の構成である。次に、図９のフローチャートを参照して、ドキュメント作成システム１を用いたＷｅｂページの作成方法を説明する。
【００４９】
まず、Ｗｅｂページの作成依頼者は、ステップ１０１（以下、ステップを「Ｓ」と略す）で依頼者ＩＤ入力部２０に依頼者ＩＤを入力し、次いで、ユーザ属性入力部１０にユーザ属性を入力する（Ｓ１０２）。ここでは、依頼者ＩＤ「Ａ００１」のＡ銀行が、年齢が２０歳未満の女性で、金融商品の購入経験が無いという図２のパターンＤに示すユーザ属性を入力する。
【００５０】
次に、編集部５０は、依頼者ＩＤ入力部２０で入力された依頼者ＩＤに対応するデータファイルから、ユーザ属性入力部１０で入力されたユーザ属性（パターンＤ）に対応するコンテンツ情報をコンテンツ読出手段としてコンテンツ情報ＤＢ３０から読み出す（Ｓ１０３）。つまり、商品がローリスク商品の単純構成商品で、商品説明がダイレクトベネフィット型というコンテンツ情報が読み出される。ここでは、ローリスク商品として米国ＭＭＦが選ばれ、ダイレクトベネフィット型の商品説明として年換算利回りが「５．０３４％」である旨が全面に押し出されるといったコンテンツ情報が読み出されたこととする。
【００５１】
次に、編集部５０は、ユーザ属性入力部１０で入力されたユーザ属性（パターンＤ）に対応するデザイン情報をデザイン情報読出手段としてデザイン情報ＤＢ４０から読み出す（Ｓ１０４）。つまり、配色がウォーム調で、フォントのポイントが小サイズで、レイアウトパターンがパターンＡとなる。ウォーム調の配色パターンは、白色、桃色、肌色等を主としたものである。レイアウトのパターンＡとは、図５（ａ）のＷｅｂページＤａのレイアウトパターンを意味する。
【００５２】
そして、コンテンツ情報とデザイン情報を読み出した後、編集部５０は、コンテンツ情報をデザイン情報に基づいて編集してＷｅｂページを作成する（Ｓ１０５）。ここでは、図５（ａ）のＷｅｂページＤａのようなＷｅｂページが制作されることになる。すなわち、広告商品が米国ＭＭＦで、年換算利回りの「５．０３４％」が大きくアピールされ、他の文章のフォントサイズが小さ目で、白色、桃色、肌色を主体としたウォーム調の配色がなされたＷｅｂページが作成される。
【００５３】
Ｗｅｂページの作成を終えた後、編集部５０は、作成を終了した旨の終了信号を送信先抽出部８０に送信し、これを受信した送信先抽出部８０は、作成したＷｅｂページのＵＲＬアドレスを送信するユーザをユーザ情報ＤＢ７０から抽出する（Ｓ１０６）。ユーザを抽出するにあたっては、送信先抽出部８０は、ユーザ属性入力部１０に入力されたユーザ属性を利用する。上記のように、ユーザ属性入力部１０には、２０歳未満で、金融商品の購入経験が無い女性というユーザ属性が入力されている。そして、送信先抽出部８０は、このユーザ属性を満たしているユーザの情報をユーザ情報ＤＢ７０から抽出する。詳しくは、図７のＣＲＭ−ａが▲１▼で、ＣＲＭ−ｂが▲２▼で、ＣＲＭ−ｍが▲１▼という条件を満たしたユーザを探し、ユーザＩＤが「Ｕ−００２」「Ｕ−００４」の２名がこれに該当することになる。
【００５４】
送信先抽出部８０が抽出したユーザの情報は出力部６０に送信され、出力部６０は、編集部５０から受信した作成済みのＷｅｂページのＵＲＬアドレスを、ネットワーク１００を介して電子メールでユーザＩＤ「Ｕ−００２」「Ｕ−００４」のユーザの端末装置９０に配信する。このように、作成したＷｅｂページを電子情報でユーザに送信することで、ダイレクトメール等の紙媒体をユーザに郵送するような場合と異なり、Ｗｅｂページの印刷、宛名書き、郵送手続き等といった作業を省略することができる。
【００５５】
ここで、本実施形態では、デザイン情報ＤＢ４０に格納されたデザイン情報に基づいてＷｅｂページが作成されるが、このデザイン情報ＤＢ４０に格納されたデザイン情報は、一般ユーザの視線軌跡を利用した生体評価により各属性のユーザにとって適切であると判断されたものとなっている。すなわち、Ｗｅｂページに対するユーザのイメージが反映されたデザイン情報とされている。このため、単にデザイナーの主観によって構築されたデータベースに基づいて作成されたＷｅｂページよりも、ユーザに受け入れられ易いＷｅｂページを作成することができ、作成依頼者の意志をユーザに確実に伝えることができる。
【００５６】
尚、出力部６０は、作成したＷｅｂページのＵＲＬアドレスを電子メールでユーザに配信する代わりに、或いは配信すると共に、ディスプレイ表示や印刷出力するようにしてもよい。
【００５７】
［第２実施形態］
次に、本発明の第２実施形態を説明する。図１０は、本実施形態のドキュメント作成システム１を示す構成図である。本実施形態のドキュメント作成システム１が第１実施形態と異なるのは、コンテンツ情報ＤＢ３０が設けられておらず、コンテンツ情報入力部３５が備えられている点である。すなわち、本実施形態では、Ｗｅｂページの作成依頼者は、Ｗｅｂページの作成を依頼する度に、文章や図形のコンテンツを自ら入力することになる。
【００５８】
図１１は、本実施形態のドキュメント作成方法を示すフローチャートである。まず、Ｓ２０１〜Ｓ２０３において、依頼者は、依頼者ＩＤ、ユーザ属性、及び、コンテンツ情報を入力する。次いで、Ｓ２０４で、編集部５０は、Ｓ２０２で入力されたユーザ属性に対応したデザイン情報を、デザイン情報ＤＢ４０から読み出す。その後、編集部５０は、コンテンツ情報入力部３５で入力されたコンテンツ情報をデザイン情報ＤＢ４０から読み出したデザイン情報によって編集してＷｅｂページを作成する（Ｓ２０５）。そして、Ｓ２０６において、第１実施形態と同様にＳ２０２で入力されたユーザ属性を満たすユーザを抽出し、Ｓ２０７において、その抽出したユーザの端末装置９０に作成したＷｅｂページの電子情報を送信する。
【００５９】
本実施形態においても、第１実施形態と同様に、デザイン情報ＤＢ４０に格納されたデザイン情報は一般ユーザの視線軌跡による生体評価に基づいて得られたものであるため、単にデザイナーの主観によって構築されたデータベースに基づいて作成されたＷｅｂページよりも、ユーザに受け入れられ易いＷｅｂページを作成することができる。さらに、本実施形態では、Ｗｅｂページを作成する度に依頼者がコンテンツ情報を入力するように構成したため、システム１内にコンテンツ情報ＤＢを構築するコストを省けると共に、依頼者は最新の流行等を踏まえた様々なコンテンツをＷｅｂページに表示させることができる。尚、第１実施形態のドキュメント作成システム１に、コンテンツ情報入力部３５を設け、コンテンツ情報ＤＢ３０に格納されたコンテンツ情報及びコンテンツ情報入力部３５で入力されたコンテンツ情報の双方を使用できるようにしてもよい。
【００６０】
［第３実施形態］
次に、図１２〜図１４を参照して、本発明の第３実施形態を説明する。本実施形態は、上記第１実施形態のドキュメント作成方法を実現可能な、コンピュータ読取り可能な記録媒体（以下、単に「記録媒体」と称す）に関するものである。ここで、記録媒体とは、プログラムの記述内容に応じて磁気、光、電気等のエネルギを変化させ、その変化に対応する信号の形式でコンピュータのハードウェア資源に備えられている読取装置にプログラムの記述内容を伝達できるものである。このような記録媒体としては、例えば、磁気ディスク、光ディスク、ＣＤ−ＲＯＭ、コンピュータに内蔵されるメモリ等が該当する。
【００６１】
図１２は、本実施形態の記録媒体１１０の構成図である。記録媒体１１０には、プログラムを記録したプログラム領域１１０ａとデータファイルを格納したデータ領域１１０ｂとが設けられている。
【００６２】
データ領域１１０ｂには、コンテンツ情報ファイル及びデザイン情報ファイルが記録されている。これらの内容は、それぞれ第１実施形態のコンテンツ情報ＤＢ３０に格納されたコンテンツ情報及びデザイン情報ＤＢ４０に格納されたデザイン情報と同様である。すなわち、データ領域１１０ｂのデザイン情報ファイルは、視線軌跡による評価等の生体評価によって得られたデザイン情報を、ユーザ属性に関連付けて蓄積したものとなっている。また、データ領域１１０ｂのコンテンツ情報ファイルは、コンテンツ情報をユーザ属性に関連付けて蓄積したものとなっている。
【００６３】
プログラム領域１１０ａには、処理を統括するメインモジュール１１１と、ユーザ属性を入力させるためのユーザ属性入力モジュール１１２と、依頼者ＩＤを入力させるための依頼者ＩＤ入力モジュール１１３と、データ領域１１０ｂのコンテンツ情報をコンピュータのメモリ（記憶部）に記憶させるためのコンテンツ情報記憶モジュール１１４と、データ領域１１０ｂのデザイン情報をコンピュータのメモリに記憶させるためのデザイン情報記憶モジュール１１５と、メモリに記憶されたコンテンツ情報を読み出すためのコンテンツ情報読出モジュール１１６と、メモリに記憶されたデザイン情報を読み出すためのデザイン情報読出モジュール１１７と、読み出したコンテンツ情報をデザイン情報で編集してＷｅｂページを作成するための編集モジュール１１８と、が含まれている。
【００６４】
ここで、ユーザ属性入力モジュール１１２及び依頼者ＩＤ入力モジュール１１３をそれぞれ動作させることによって実現する機能は、上記ユーザ属性入力部１０及び依頼者ＩＤ入力部２０の機能と同様であり、コンテンツ情報読出モジュール１１６、デザイン情報読出モジュール１１７、及び編集モジュール１１８をそれぞれ動作させることによって実現する機能は、上記編集部５０の機能と同様である。
【００６５】
図１３は、記録媒体１１０に記録されたプログラムを実行するためのコンピュータ１５０のハードウェア構成を示す図であり、図１４は、記録媒体１１０に記録されたプログラムを実行するためのコンピュータ１５０の斜視図である。各図に示すように、コンピュータ１５０は、フレキシブルドライブ装置、ＣＤ−ＲＯＭドライブ装置、磁気テープドライブ装置等の読み取り装置１２２と、オペレーティングシステム（ＯＳ）を常駐させた作業用メモリ（ＲＡＭ）１２４と、記録媒体１１０に記録されたコンテンツ情報及びデザイン情報を記憶するためのメモリ１２５と、表示手段であるディスプレイ１２６と、入力手段であるマウス１２８及びキーボード１３０と、作成したＷｅｂページを印刷出力するプリンタ１３２と、プログラムの実行を制御するＣＰＵ１３４と、を備えている。ここで、記録媒体１１０が読み取り装置１２２に挿入されると、記録媒体１１０に記録された情報が読み取り装置１２２からアクセス可能になり、記録媒体１１０のプログラム領域１１０ａに記録されたプログラムが、コンピュータ１５０によって実行可能となる。
【００６６】
本実施形態の記録媒体１１０によれば、コンピュータ１５０は、視線軌跡等の生体評価に基づいて得られたデザイン情報を用いてコンテンツ情報を編集することになるため、作成されたＷｅｂページは、単にデザイナーの主観によって構築されたデータベースに基づいて作成されたＷｅｂページよりも、ユーザに受け入れられ易いものとなっている。
【００６７】
尚、本実施形態では、記録媒体１１０のデータ領域１１０ｂにコンテンツ情報及びデザイン情報を記録させているが、これらを記録媒体１１０に記録させておくのではなく、外部のデータベースに記憶させてもよい。この場合、コンテンツ情報記憶モジュール１１４及びデザイン情報記憶モジュール１１５を動作させることで、当該データベースに格納されたコンテンツ情報及びデザイン情報をコンピュータ１５０のメモリ１２５に記憶させることができる。
【００６８】
［第４実施形態］
次に、図１５を参照して、本発明の第４実施形態を説明する。本実施形態は、上記第２実施形態のドキュメント作成方法を実現可能な、コンピュータ読取り可能な記録媒体に関するものである。本実施形態が第３実施形態と異なるのは、データ領域１１０ｂにコンテンツ情報が記録されておらず、プログラム領域１１０ａに、依頼者にコンテンツ情報を入力させるためのコンテンツ情報入力モジュール１４４が含まれている点である。
【００６９】
すなわち、本実施形態では、データベースやメモリ等に蓄積されたコンテンツ情報を使用するのではなく、Ｗｅｂページを作成する度に依頼者がコンテンツ情報を入力することになるため、コンテンツ情報ＤＢを構築するコストを省けると共に、依頼者は最新の流行等を踏まえた様々なコンテンツをＷｅｂページに表示させることができる。
【００７０】
以上、本発明者によってなされた発明を実施形態に基づき具体的に説明したが、本発明は上記各実施形態に限定されるものではない。例えば、ドキュメント作成システムは、Ｗｅｂページの作成に限られず、店舗用リーフレット、パンフレット、ダイレクトメール等の紙媒体の作成に利用することができる。
【００７１】
【発明の効果】
以上説明したように、本発明に係るドキュメント作成システム、ドキュメント作成方法、及び、コンピュータ読み取り可能な記録媒体によれば、コンテンツ情報を編集するためのデザイン情報が、生体評価によって得られたものとなっている。このため、本発明によって作成されたドキュメントは、単にデザイナーの主観によって構築されたデータベースに基づいて作成されたドキュメントよりも、ユーザに受け入れられ易いものとなる。
【図面の簡単な説明】
【図１】本発明に係るドキュメント作成システムの第１実施形態を示す構成図である。
【図２】コンテンツ情報ＤＢに格納されたデータファイルを示す図である。
【図３】デザイン情報ＤＢに格納されたデータファイルを示す図である。
【図４】異なるＷｅｂページをユーザに見せた際の視線軌跡を示す図である。
【図５】デザイン情報を決定するために用いたＷｅｂページを示す図である。
【図６】Ｗｅｂページの印象を文字で表現したイメージマップである。
【図７】ユーザ情報ＤＢに格納されたデータファイルを示す図である。
【図８】ユーザ情報ＤＢの属性の選択項目を示す図である。
【図９】第１実施形態のドキュメント作成方法を示すフローチャートである。
【図１０】本発明に係るドキュメント作成システムの第２実施形態を示す構成図である。
【図１１】第２実施形態のドキュメント作成方法を示すフローチャートである。
【図１２】第３実施形態のコンピュータ読取り可能な記録媒体の構成図である。
【図１３】記録媒体に記録されたプログラムを実行するためのコンピュータのハードウェア構成を示す図である。
【図１４】記録媒体に記録されたプログラムを実行するためのコンピュータの斜視図である。
【図１５】第４実施形態のコンピュータ読取り可能な記録媒体の構成図である。
【符号の説明】
１…ドキュメント作成システム、１０…ユーザ属性入力部（ユーザ属性入力手段）、２０…依頼者ＩＤ入力部、３０…コンテンツ情報ＤＢ（コンテンツ情報格納手段）、３５…コンテンツ情報入力部（コンテンツ情報入力手段）、４０…デザイン情報ＤＢ（デザイン情報格納手段）、５０…編集部、６０…出力部、８０…送信先抽出部、９０…端末装置、１００…ネットワーク、１１０…記録媒体、１１０ａ…プログラム領域、１１０ｂ…データ領域、１２２…読み取り装置、１２５…メモリ（記憶部）、１５０…コンピュータ、Ｄａ〜Ｄｃ…Ｗｅｂページ。
【図１】
0003951586.tif 000002
【図２】
0003951586.tif 000003
【図３】
0003951586.tif 000004
【図４】
0003951586.tif 000005
【図５】
0003951586.tif 000006
【図６】
0003951586.tif 000007
【図７】
0003951586.tif 000008
【図８】
0003951586.tif 000009
【図９】
0003951586.tif 000010
【図１０】
0003951586.tif 000011
【図１１】
0003951586.tif 000012
【図１２】
0003951586.tif 000013
【図１３】
0003951586.tif 000014
【図１４】
0003951586.tif 000015
【図１５】
0003951586.tif 000016